(57)【特許請求の範囲】
【請求項１】
水中の夾雑物を水中外に移送する夾雑物移送装置であって、
上部が水の外に露出されて、傾斜するように上下に設置されたスクリーン（２）と、
前記スクリーンの前方に前記スクリーンの上下延長経路に沿って設置された移送ガイド（１４）と、
前記スクリーンの前方に設置され、前記移送ガイドに沿って移動するレーキアーム（４）と、
前記移送ガイドの下部及び上部に設置された移送滑車（２１、３１）と、
前記スクリーンの上部近傍にに設置された油圧シリンダー（１）と、
前記移送ガイド内で移動可能に設置され、前記レーキアームと連結された移動ローラー（５）と、
前記油圧シリンダー、前記移送滑車及び前記移動ローラーの間を連結するワイヤと、
前記スクリーンの上部前方に設置された移送コンベヤ（３）とを含み、
前記スクリーンは、複数のスクリーンバー（８）が互いに離隔して並んで配列されて構成され、
前記スクリーンの後方に回動可能に設置された複数の角錐形のガイドギア（６）が前記スクリーンバーの間に挿入され、
前記複数のガイドギアは前記スクリーンの左右方向に配列され、
前記レーキアームは前記スクリーンの後方を向ける複数の突出されたアームを備え、
前記各突出されたアームは前記スクリーンバーの間に挿入されて、前記ガイドギアと接触するほどに延長されて、前記レーキアームが前記移送ガイドに従って移送する際、前記アームが前記ガイドギアと接触して回転し、
前記移送ガイドはその最上部に方向転換部（２０）を含み、前記方向転換部から２つの移送経路に分岐され、
前記移送ガイドが方向転換部によって方向を切り替える時に前記レーキアームから夾雑物が前記移送コンベヤ上に落ちる夾雑物移送装置。
【請求項２】
前記ガイドギアは７角錐形である請求項１に記載の夾雑物移送装置。
【請求項３】
前記移送ガイドの内部面はテフロン（登録商標）パッド（７）でコーティングされた請求項１に記載の夾雑物移送装置。
【請求項４】
前記スクリーンの最上部上に保護カバー（１０）が設置され夾雑物が離脱されない請求項１に記載の夾雑物移送装置。
【請求項５】
前記方向転換は２７０度〜３６０度の回転である請求項１に記載の夾雑物移送装置。
【発明の詳細な説明】
【技術分野】
【０００１】
本発明の回転型スクリーン移送装置は、レーキアームが上部排出部から２７０゜〜３６０゜回転して、夾雑物が前に排出され、夾雑物移送コンベヤが前方に位置するので、スクリーンの裏側の空間が広くなって空間を利用することができ、これにより装置全体の大きさを小型化することができる。
【０００２】
また、従来方式に比べて、メンテナンス用ホイスト（図示しない）を２ｍ以上低く設置することができるので、取付費を低減できるとともに、これにより発生する事故を予防する效果を奏する。
【０００３】
本発明の回転型移送スクリーン装置の技術分野は、上下水道処理処置の夾雑物処理装置に利用されている。
【背景技術】
【０００４】
図１に夾雑物移送装置の従来技術が示されている。図１に示す夾雑物移送装置では、夾雑物移送スクリーンｃが水面ｂ内にある部分と水面外に出ている部分があり、水面から延長された地面ａにワークウェイ（ｗｏｒｋ  ｗａｙ）が設置されている。また、移送スクリーンの最上部には移送ローラｇが設けられ、この移送ローラはベルトを通じてモータｆに連結されている。また、作業台ｅにモータが設置されている。ワークウェイは作業者が上記移送スクリーンの最上部に上がってメンテナンス及び作業をすることができるように高く設置されている。また、水中及び水面上の夾雑物は移送スクリーンに沿って移動するレーキアーム（図示しない）に引っ掛かって、スクリーンの後方に設置された夾雑物の回収台ｈに落ち、上記回収台には夾雑物移送コンベア（図示しない）が設けられている。スクリーンは複数のスクリーンバー（図示しない）で構成され、スクリーンバーとスクリーンバーとの間を固定する固定バー（図示しない）が存在する。
このような従来技術では、ワークウェイが必要となり、上記夾雑物移送装置を水中からすくい上げるためのホイスト（図示しない）が高く設置されるしかない。従って、メンテナンス用ホイスト（図示しない）が高く設置されて危険性が高まり、夾雑物移送コンベヤの高さも高くて危険性が多く存在した。
【０００５】
従って、危険性が常に存在し、スクリーン装置の製作費も高価で製造しなければならなかった。また、スクリーンバーとスクリーンバーとが固定バー（図示しない）によって固定されるため、レーキアームがスクリーンバーの間に深く浸透できなかった。
【発明の概要】
【発明が解決しようとする課題】
【０００６】
本発明の回転型スクリーン移送装置の解決しようとする課題は、
１．製作費低減
２．メンテナンス用ホイストの高さを低くして危険の減少
３．ワークウェイ（ｗｏｒｋ ｗａｙ）が必要ないようにすること
４．複数の固定バー（図示しない）を固定させなくても作動可能にすること
【課題を解決するための手段】
【０００７】
本発明の回転型スクリーン移送装置の課題解決手段は、
１．従来の電動方式ではなく、下部油圧シリンダーによる滑車作動方式を利用して、スクリーン上部の露出部（水上に出ている部分）が１／３程度低くなって、上部の作業台（ワークウェイ）が必要なくなり、夾雑物移送コンベヤの高さが低くなって、メンテナンス及び管理が容易で目に入りやすくて取付費及び製造費を低減することができる。
２．従来方式と異なって、スクリーン２の上部の露出高さ（水上に出ている部分）を２ｍ以上低く設置して、取付費の低減及び安全性を高めることができる。
３．夾雑物移送コンベヤを前面（ｆｒｏｎｔ）に設置してワークウェイが必要なくなる。
４．固定バーを固定させなくてもスクリーンバーの間に七角錐形のガイドギアが付着されてレーキアームによって回転されるので常にスクリーンバーの間隔は同一である。
【発明の効果】
【０００８】
本発明の回転型スクリーン装置の效果としては、
１．レーキアームを上部排出部から２７０゜〜３６０゜回転して、夾雑物が前方へ排出されるようにし、夾雑物移送コンベヤが前面に位置するので、スクリーンの裏側の空間が広くなって、空間を利用することができ、装置全体を小型化させることができる。
２．夾雑物を引き上げるレーキアームの移動ロ−ルの衝撃を防止し、その機能を向上させるために移動レールの両側にテフロン（登録商標）パッドを付着して容易に移動できるようにし、下部開始点の正確な合わせのためにガイドギアを備えてその效果を高める。
３．スクリーンバーを固定化しなくてレーキアームが深く浸透され、スクリーンバーの間に７角錐形のガイドギアを設置して異物をさらによく取り除くことができる。
４．装置の小型化によって製造費の低減とともに、安全性をさらに高めることができる。
【図面の簡単な説明】
【０００９】
【図１】従来のスクリーン移送装置の概略的な断面図である。
【図２】本発明の回転型スクリーン移送装置の運行前の滑車との連結関係が省略された概略的な断面図である。
【図３】本発明の回転型スクリーン移送装置の運行中の保護装置が省略された拡大斜視図である。
【図４】本発明の回転型スクリーン移送装置の保護装置が示された概略的な斜視図である。
【図５】本発明の回転型スクリーン移送装置におけるガイドギアとてレーキアームとの間の連結関係が示された拡大斜視図である。
【図６】本発明の回転型スクリーン移送装置におけるレーキアームのガイドのための移送ガイドの側面図である。
【図７】ガイドギアとレーキアームとガイドバーとの間の結合関係を示す図面である。
【発明を実施するための形態】
【００１０】
本発明の回転型スクリーン移送装置に対する具体的な内容は添付図面を参照して詳しく説明する。
図１は従来のスクリーン移送装置の概略的な断面図であり、図２は本発明の回転型スクリーン移送装置の運行前の滑車との連結関係が省略された概略的な断面図であり、図３は本発明の回転型スクリーン移送装置の運行中の保護装置が省略された拡大斜視図であり、図４は本発明の回転型スクリーン移送装置の保護装置が示された概略的な斜視図であり、図５は本発明の回転型スクリーン移送装置におけるガイドギアとレーキアームとの間の連結関係が示された拡大斜視図であり、図６は本発明の回転型スクリーン移送装置におけるレーキアームのガイドのための移送ガイドの側面図であり、図７はガイドギアとレーキアームとガイドバーとの間の結合関係を示す図面である。
参考に、図５にはレーキアーム４とガイドギア６との間の結合関係が示されているだけで、スクリーンバー８が具体的に示されていない。それは、レーキアームがガイドギアまで延長されていることを示すためである。一方、明細書及び図面全体によれば、スクリーンバー８の間にレーキアームが挿入されていることは十分に記載されており、この旨を図７に示した。
まず、図面全体を通じて、スクリーン２は、図３及び図７に示すように、複数のスクリーンバー８が互いに所定間隔で離隔されて、互いに平行に設置されて構成された構造物を言う。図７に示すように、このスクリーンバー８の間の離隔された空間にレーキアーム４の複数のアームが挿入されるようになっている。図２ではスクリーンバー８の間をレーキアーム４が完全に挿入していることを部分的に示している。図２において、スクリーン２は水面を中心に露出された部分と水中に浸る部分が存在する。図２において、移送コンベヤ３がスクリーンの全般に設置され、レーキアーム４が方向転換部分で回転しながら、夾雑物が落ちると、その落ちた夾雑物を側傍に移動させる。即ち、図で示すように、移送コンベヤ３の設置される高さが非常に低くなっていることが分かる。これは従来技術に比べて改善された部分であり、方向転換可能な移送ガイド１４が設けられているためである。図６には、上記方向転換可能な移送ガイド１４が具体的に示されている。それによって、スクリーン前方に移送コンベヤ３を設置することができるので、装置の占める空間が少なくなる。図５には図２のようにレーキアーム４がスクリーン２の端部まで延長されていることが具体的に示されている。図面の全体から分かるように、スクリーン２は水外に露出されるように水中に傾斜されるように設置される。これは夾雑物を引き上げるための構成である。
図３のように、レーキアーム４がスクリーン２の移動経路上に位置して従来に慣用化された技術である油圧シリンダー１によってコントロ−ル滑車１１ａ、１１ｂ、１１ｃ、１１ｄと移送滑車２１ａ、２１ｂ、２１ｃ、３１ａ、３１ｂ、３１ｃと転換滑車４１ａ、４１ｂ、４１ｃ、４１ｄの引き押し方式によって移動ロ−ル５が備えられたレーキアーム４が上昇及び下降を繰り返すことができるように備えられ、レーキアーム４を上部排出部から２７０゜〜３６０゜回転して、夾雑物が前に排出されるようにし、夾雑物移送コンベヤ３が前面に位置するので、スクリーンの裏側の空間が広くなって、空間を利用することができ、装置全体を小型化させることができる。
また夾雑物を引き上げるレーキアーム４に容易に移動できるように移動ロ−ル５が備えられ、移動ロ−ル５の衝撃を防止し、その機能を向上させるために移動レールの両側にテフロン（登録商標）パッド７を付着して容易に移動できるようにし、下部開始点の正確な合わせのためにガイドギア６を備えて、その間隔を従来のように固定バーを利用して固定させなくても間隔を一定に保持させることができ、スクリーンバー８を固定化しなくて、レーキアーム４が深く浸透され、スクリーンバー８の間に７角錐形のガイドギア６を設置してレーキアーム４によって回転しながら異物をよく取り除くことができる。
図５及び７では上記ガイドギアをより具体的に示している。図５でレーキアーム４がガイドギア６まで延長され、ガイドギア６はスクリーン２の後方に設置され、図７に示すように、ガイドギア６はそれぞれスクリーンバー８の間に挿入され、スクリーンバーは所定間隔で離隔している。即ち、ガイドギアはレーキアーム４が下部開始点から上昇する時にレーキアーム４がスクリーンバーの間に完全に挿入されることを保障する。また、レーキアーム４がガイドギアまで延長されて挿入されるので、ガイドギアは、レーキアームが移動する時に、レーキアームによって回動され、これによって、ガイドギアは異物がスクリーンに挟まることを防止することができる。図５及び図７に示すように、レーキアームは複数の突出されたアームを備えており、上記アームはスクリーンの後方を向いている。ガイドギア６は、図５に示すように、スクリーンの後方のある一点にスクリーンを横切って設置されている。即ち、複数のガイドギアはスクリーンの左右方向に配列されている。
図７に示すように、レーキアームは複数のアームを含み、各アームはスクリーンバー８の間に挿入され、各アームはガイドギア６まで延長され、スクリーンバーはガイドギア６によってそれらの間の間隔が保持される。ガイドギアは回動可能にスクリーンの後方に設置されている。
さらに、スクリーン３の上部にレーキアーム４の方向を転換するために設置された方向転換台が設置されて、上部に移動の時には方向転換台２０がレーキアーム４との衝突によって上昇し、回転の後、下部に下降する場合、方向転換台２０によって上部移動レールに上がって下降できるようにする。即ち、方向転換台２０を中心に移送ガイド１４は２つの移送経路に分岐されている。これは図６に詳しく示されている。
図面全体から分かることができるように、本夾雑物移送装置は、上部が水中の外部に露出されて、水中の夾雑物を水中の外部に移送する装置として用いることができる
最後に、装置の小型化によって製造費の低減でき、移送コンベヤ３が前面に位置し、ワークウェイ（ｗｏｒｋ ｗａｙ）が必要なく、メンテナンス用ホイストの高さを低くすることで安全性を高めることができる。
【符号の説明】
【０００１】
１．油圧シリンダー
２．スクリーン
３．移送コンベヤー
４．レーキアーム
５．移動ロ−ル
６．ガイドギア
７．テフロン（登録商標）パッド
８．スクリーンバー
９．作業台
１０．保護カバー
２０．方向転換台
【図１】
0005378516.tif 000002
【図２】
0005378516.tif 000003
【図３】
0005378516.tif 000004
【図４】
0005378516.tif 000005
【図５】
0005378516.tif 000006
【図６】
0005378516.tif 000007
【図７】
0005378516.tif 000008